(57)【特許請求の範囲】
【請求項１】
錠ケース内において上下に並列して駆動デッドボルト、従動デッドボルトが設置され、
前記錠ケースの前端壁に、前記駆動デッドボルト及び前記従動デッドボルトが前後方向に出没可能な２つの開口が、互いに離間して設けられ、
前記駆動デッドボルト、及び前記従動デッドボルトの前半部は、内側に鎌状の回動鎌部材を収納する収納空間が設けられてなると共に、上端面及び下端面のいずれかが開放端に形成され、
前記回動鎌部材は、デッドボルトの表裏面に垂直な方向に設けられた軸支軸によってデッドボルトに軸支されてなると共に、前記回動鎌部材の基端部から前記解放端側に突出してなるスライド部が形成されてなり、
前記回動鎌部材は、前記スライド部の前方に対向して前記錠ケースの前端壁の内側に設置されてなる押圧面に、前記駆動デッドボルト、及び前記従動デッドボルトの前後方向への出没動作に連動して前記スライド部が押圧されつつ前記軸支軸を軸中心として上下方向に回動して前記開放端から突出可能に設けられ、
前記錠ケース内において、上側の前記開口の上端から下側の前記開口の下端に渡る長さに形成されてなると共に、前記駆動デッドボルト、及び前記従動デッドボルトの周面に取り付けられて互いに連結してなる連結プレートを備え、
前記連結プレートの前端面が、前記駆動デッドボルト及び前記従動デッドボルトの突出状態において、前記錠ケースの前端壁の内側面に近接する位置となるように配設されてなり、
前記連結プレートは、前記軸支軸と重複する位置に鎌軸穴を有してなり、当該鎌軸穴に、前記収納空間を形成する周壁を貫通してなる前記軸支軸の端部が挿通されてなる
ことを特徴とする扉錠。
【請求項２】
前記連結プレートの前端面は、前記錠ケースの内側面に沿って直線状に形成されてなる
ことを特徴とする請求項１に記載の扉錠。
【請求項３】
前記連結プレートの後部が、サムターン軸と軸着されるハブの駆動力を前記駆動デッドボルトに伝達する駆動力伝達部に向かって後方に突出されてなる板状の腕部を形成してなる
ことを特徴とする請求項１または２に記載の扉錠。
【発明の詳細な説明】
【技術分野】
【０００１】
本発明は、扉錠に関する。
【背景技術】
【０００２】
扉錠の安全性を向上させるために、デッドボルトから出没する鎌状部を設けた扉錠が考案されている。また、更なる安全性の向上を目的として、扉錠にデッドボルトが複数設けられてなるものもある。
【先行技術文献】
【特許文献】
【０００３】
【特許文献１】特開２００１−２２７２１３号公報
【特許文献２】特開２００４−４４０９６号公報
【発明の概要】
【発明が解決しようとする課題】
【０００４】
しかし、デッドボルトを複数設けて安全性を高めると、扉錠の内部に対して直接治具を挿入して内部機構を操作し、不正な解錠が試みられるという問題があった。
【課題を解決するための手段】
【０００５】
そこで、上記課題を解決する手段として本発明に係る扉錠は、錠ケース内において上下に並列して駆動デッドボルト、従動デッドボルトが設置され、前記錠ケースの前端壁に、前記駆動デッドボルト及び前記従動デッドボルトが前後方向に出没可能な２つの開口が、互いに離間して設けられ、前記駆動デッドボルト、及び前記従動デッドボルトの前半部は、内側に鎌状の回動鎌部材を収納する収納空間が設けられてなると共に、上端面及び下端面のいずれかが開放端に形成され、  前記回動鎌部材は、デッドボルトの表裏面に垂直な方向に設けられた軸支軸によってデッドボルトに軸支されてなると共に、前記軸支軸から前記解放端側に突出してなるスライド部が形成されてなり、前記回動鎌部材は、前記スライド部の前方に対向して前記錠ケースの前端壁の内側に設置されてなる押圧面に、前記駆動デッドボルト、及び前記従動デッドボルトの前後方向への出没動作に連動して前記スライド部が押圧されつつ前記軸支軸を軸中心として上下方向に回動して前記開放端から突出可能に設けられ、前記錠ケース内において、上側の前記開口の上端から下側の前記開口の下端に渡る長さに形成されてなると共に、前記駆動デッドボルト、及び前記従動デッドボルトの周面に取り付けられて互いに連結してなる連結プレートを備え、前記連結プレートの前端面が、前記駆動デッドボルト及び前記従動デッドボルトの突出状態において、前記錠ケースの前端壁の内側面に近接する位置となるように配設されてなることを特徴とする。
【０００６】
また、前記連結プレートは、前記軸支軸と重複する位置に鎌軸穴を有してなり、当該鎌軸穴に、前記収納空間を形成する周壁を貫通してなる前記軸支軸の端部が挿通されてなるものであっても好ましい。
【０００７】
さらに、前記連結プレートの前端面は、前記錠ケースの内側面に沿って直線状に形成されてなるものであっても好ましい。
【０００８】
さらにまた、前記連結プレートの後部が、サムターン軸と軸着されるハブの駆動力を前記駆動デッドボルトに伝達する駆動力伝達部に向かって後方に突出されてなる板状の腕部を形成してなるものであっても好ましい。
【発明の効果】
【０００９】
本発明によれば、デッドボルトと錠ケースとの隙間に薄板状の治具を挿し入れることで扉錠を不正に解錠する操作を防止することができる。
【図面の簡単な説明】
【００１０】
【図１】扉錠１が解錠状態である場合の内部構造の概略を表裏面方向から示す図である。
【図２】扉錠１が施錠状態である場合の内部構造の概略を表裏面方向から示す図である。
【図３】施錠状態の扉錠１の前端面を示す図である。
【発明を実施するための形態】
【００１１】
以下、本発明に係る実施の形態を、図を参照しながら詳しく説明する。なお、本明細書及び図面において、実質的に同一の機能構成を有する構成要素については、同一の符号を付することにより重複説明を省略する。
【００１２】
図１は解錠状態にある場合の扉錠１の内部構造を示す図である。扉錠１は、箱体に形成された錠ケース２内において下側の駆動デッドボルト３及び上側の従動デッドボルト４が上下に並列して設置されてなる。
【００１３】
駆動デッドボルト３の後端部には、上方に拡開する形状に形成されてなる係合凹部５が形成されてなる。係合凹部５は、拡開した前後上端部がそれぞれ僅かに傾斜面に形成されてなり、前方側の傾斜面が押出面６、後方側の傾斜面が引戻面７に形成され、押出面６から引戻面７までが連続した面となるように形成されてなる。
【００１４】
また、駆動デッドボルト３の後端部の上方には、サムターン軸８と軸着可能な軸穴９を備えたハブ１０が設けられてなる。ハブ１０の中心部から下方に延出してなるハブ腕１１の先端は、図１において係合凹部５の引戻面７に当接してなる。
【００１５】
サムターン軸８と軸着されるハブ１０の駆動力を駆動デッドボルト３に伝達する駆動力伝達部がハブ腕１１である。図示しないサムターンが回されることによってサムターン軸８が軸回転し、図１の解錠状態から図２の施錠状態へ変動する際には、ハブ１０の回動に合わせて回動するハブ腕１１が、係合凹部５の押出面６に当接しながら、前方へ押し出すことにより駆動デッドボルト３を前方へ移動させる駆動力を伝達することができる。
【００１６】
図１に示すように、錠ケース２の内部において、駆動デッドボルト３及び従動デッドボルト４の表側の周面には平板状の連結プレート１２が取り付けられてなる。連結プレート１２は、駆動デッドボルト３がハブ１０の回動によって前後方向に移動する力を従動デッドボルト４にも同時に伝達し、駆動デッドボルト３と従動デッドボルト４とを同時に前後方向へ動作させることができる。
【００１７】
錠ケース２の前端壁１３の前端面１７には、上下に離間して２つの開口１５，１６が設けられてなる。下側の開口１５は駆動デッドボルト３の周面に沿った形状に形成されて、開口１５から駆動デッドボルト３が前後に出没することができる。また、上側の開口１６は、従動デッドボルト４の周面に沿った形状に形成されて、開口１６から従動デッドボルト４が前後に出没することができる。
【００１８】
前述したように、駆動デッドボルト３と従動デッドボルト４とは連結プレート１２で連結されてなることによって、ハブ１０の回動によって開口１５，１６から同時に出没する。
【００１９】
連結プレート１２の前端面１４は、下側の開口１５の下端から上側の開口１６の上端に渡る長さに形成されてなると共に、錠ケース２の前端壁１３の内側面１８に沿って表面側から見て直線状に形成されてなる。
【００２０】
そしてさらに連結プレート１２は、図２に示すように、その前端面１４が、駆動デッドボルト３と従動デッドボルト４とが突出した状態において、前記内側面１８に近接する位置となるように配設されてなる。なお、連結プレート１２の前端面１４は、理想的には駆動デッドボルト３と従動デッドボルト４とが突出した状態において内側面１８に丁度当接する位置であることが望ましいが、設計上わずかな寸法のずれを考慮してわずかに後方へ離間していてもよいことをいう。
【００２１】
駆動デッドボルト３、及び従動デッドボルト４の前半部には、その内側に鎌状の回動鎌部材１９，２０を収納する収納空間２１，２２が設けられてなる。また、本実施の形態においては、駆動デッドボルト３の下端面、及び従動デッドボルト４の上端面は開放端２３，２４に形成されてなる。回動鎌部材１９，２０は、それぞれのデッドボルトの表裏面に垂直な方向に設けられた軸支軸２５，２６によってデッドボルトに軸支されて、駆動デッドボルト３、及び従動デッドボルト４の出没動作に連動して上下方向に回動して開放端２３，２４から突出可能に設けられてなる。
【００２２】
連結プレート１２は、軸支軸２５，２６と重複する位置に鎌軸穴２７，２８を有してなる。鎌軸穴２７，２８に、収納空間２１，２２を形成する周壁を貫通してなる軸支軸２５，２６の端部が挿通されて連結プレート１２が駆動デッドボルト３と従動デッドボルト４とを連結してなる。
【００２３】
連結プレート１２の後部は、ハブ腕１１に向かって後方に突出されてなる板状の腕部２９に形成されてなる。腕部２９の後端部は、連結ピン３０によって駆動デッドボルト３との間を連結されることによって、駆動デッドボルト３の前後運動に対するブレの発生を抑制している。
【００２４】
駆動デッドボルト３には、回動鎌部材１９よりも後部分に前後方向に対して直線状にガイド穴３１が形成されてなり、ガイド穴３１には錠ケース２の内側面に立設されてなるガイド軸３２が挿通されて、駆動デッドボルト３が正確に前後方向に運動できるようガイド機能を発揮する。
【００２５】
さらに、駆動デッドボルト３の後端部の下部には、切り欠き状に形成された被係止面３３が形成されてなる。被係止面３３は、図２に示すように、施錠状態において駆動デッドボルト３の後方に設けられてなる係止部材３４の前端における係止端３５と係合することにより、駆動デッドボルト３の不意の後退を防止する機能を有する。
【００２６】
係止部材３４は、その後端部において係止バネ３６が巻回された係止バネ軸３７によって錠ケース２に対して上下方向に回動可能に取り付けられてなる。係止バネ３６の後端は錠ケース２の後ろ側内壁面に当接され、係止バネ３６の前端は係止部材３４の下端に掛け止められて係止部材３４を上方へ付勢してなる。また、係止部材３４の中央部には上下方向に長軸を有するリンク穴３８が形成されてなり、当該リンク穴３８にはリンク基端部３９が嵌め込まれてなる。
【００２７】
リンク基端部３９にはハブ腕１１に向かって延出してなるリンクバネ４０が取り付けられてなり、リンクバネ４０の先端にはハブ腕１１と回動可能に軸支されてなるリンク自由端部４１が取り付けられてなる。
【００２８】
図１に示す解錠状態から、扉錠１を施錠するためにハブ１０及びハブ腕１１が回動すると、ハブ腕１１に連動してリンク自由端部４１も前方へ移動する。リンク自由端部４１の移動に伴って、リンクバネ４０がハブ腕１１からの下方への応力を弾性によって吸収しながら前方に向かって回動する。このとき、リンク基端部３９もリンクバネ４０の動きに連動して回動する。
【００２９】
ハブ腕１１が、係合凹部５の押出面６に当接しながら駆動デッドボルト３を前方へ押し出すと、係止部材３４がわずかに上方へ回動して、図２に示すように、係止端３５を駆動デッドボルト３の被係止面３３に係合させる。このとき、リンク穴３８が上下方向へ縦長に形成されてなることにより、リンク基端部３９が係止部材３４の動作を阻害することはない。
【００３０】
回動鎌部材１９，２０は、先端部からそれぞれ開放端２３，２４の方向に向かって屈曲してなる爪部４２，４３が形成されてなる。また、回動鎌部材１９，２０の基端部からそれぞれ開放端２３，２４の方向に向かって突出してなるスライド部４４，４５が形成されてなる。スライド部４４，４５の後ろ側の面は後方に向かって凸面状に形成されてなるスライド面４６，４７に形成されてなる。
【００３１】
一方、錠ケース２には、スライド部４４，４５に近接した位置に、Ｌ字板状の押さえ部材４８，４９が設置されてなる。押さえ部材４８，４９は、解錠状態においてスライド面４６，４７に対向してスライド部４４，４５を押圧する押圧面５０，５１を備え、錠ケース２に対してそれぞれバネ軸５２，５３によって上下方向に回動可能に数着されてなる。ここで、駆動デッドボルト３側に設けられてなる押さえ部材４８は、押圧面５０を有する板部５４と錠ケース２の下側内面との間に、押圧面５０を上方に向かって付勢してなる保持バネ５５が設けられてなる。一方、従動デッドボルト４側に設けられてなる押さえ部材４９は、バネ軸５３の周面に保持バネ５６が巻回されてなり、保持バネ５６の一端は錠ケース２に固定されてなるバネ止め部５７に掛け止められてなり、保持バネ５６の他端は押圧面５１を有する板部５８の上面に当接されることにより、押さえ部材４９を下方に付勢してなる。
【００３２】
図１に示す解錠状態において、保持バネ５５，５６の押圧力によって押圧面５０，５１がスライド部４４，４５の先端部を軸支軸２５，２６の前方において押圧することにより、回動鎌部材１９，２０が収納空間２１，２２内に収納されている。
【００３３】
ハブ１０とハブ腕１１とが回動して押出面６を押し出し、駆動デッドボルト３及び従動デッドボルト４が連結プレート１２とともに前方へ移動し、開口１５，１６から突出した状態となると、図２に示すように、スライド部４５がバネカバー６２の前端６２ａに押圧されることによって、回動鎌部材２０が軸支軸２６を軸中心として回動し、開放端２４から爪部４３を突出させ施錠状態となる。この回動鎌部材２０の回動動作は、回動鎌部材１９においてもスライド部４４がバネカバー６１の前端６１ａに押圧されることによって回動し、爪部４２を突出させる過程において同様である。突出した爪部４２，４３は、図示しない戸枠の受けの内面に係止されることによって、戸枠との結合状態を強固とする。また、施錠状態にある間において、押さえ部材４８，４９の当接端部５９，６０が、回動鎌部材１９，２０を爪部４２，４３が突出する方向に押圧し続けることによって、回動鎌部材１９，２０が不意に収納されることを防止することができる。
【００３４】
なお、本実施の形態において、押さえ部材４８，４９の表側を覆うようにバネカバー６１，６２が取り付けられてなり、保持バネ５５，５６が不意に脱離することを防止している。
【００３５】
さらに、開口１５は駆動デッドボルト３の周面沿った形状に形成され、また、開口１６は従動デッドボルト４の周面に沿った形状に形成されてなるが、開口１５，１６とそれぞれのデッドボルトとの間には図３に示すように、わずかに隙間６３，６４が存在する。そのため、隙間６３，６４から特殊な薄板状の治具などを用いてハブ腕１１を押し戻すことによって不正な解錠操作がなされる可能性もある。しかし、本発明によれば、連結プレート１２の前端面１４が、駆動デッドボルト３と従動デッドボルト４とが突出した状態において、錠ケース２の前端壁１３の内側面１８に近接する位置となるように配設されてなる。これにより、隙間６３，６４に治具を差し入れても、連結プレート１２の前端面１４によって治具の侵入を阻止することができ、不正な解錠操作を防止することができる。そのため、連結プレート１２は、図３に示すように駆動デッドボルト３及び従動デッドボルト４の表側及び裏側の両面に取り付けた場合、さらに効果的に隙間６３，６４からの治具の侵入を防止することができる。
【００３６】
さらにまた、連結プレート１２の後部は、ハブ腕１１に向かって後方に突出されてなる板状の腕部２９に形成されてなる。この腕部２９はハブ腕１１に近接する位置まで突設されてなることにより、仮に連結プレート１２の前端面１４を回避して錠ケース２内への侵入ができたとしても、腕部２９によってハブ腕１１への接触を阻害することができ、不正な解錠操作防止効果をさらに向上させることができる。
【００３７】
施錠された扉錠１を解錠する際には、サムターン軸８を回してハブ１０及びハブ腕１１を後方に向かって回動させる。このときハブ腕１１が係止バネ軸３７を中心に係止端３５を押し下げることにより、係止端３５を被係止面３３から離脱させる。これにより、ハブ腕１１が引戻面７に当接しながら駆動デッドボルト３を後方へ引き下げて解錠することができる。また、連結プレート１２によって連結された従動デッドボルト４も同時に後方へ引き下がる。
【００３８】
ハブ腕１１は、後方への回動に伴って、係合凹部５の引戻面７に当接しながら駆動デッドボルト３及び従動デッドボルト４を、これらの先端が開口１５，１６の開口端と同一面となるまで引き下げる。
【００３９】
このとき、押さえ部材４８，４９はスライド部４４，４５を、回動鎌部材１９，２０が収納空間２１，２２内に収納される方向に回動するように押圧することで、駆動デッドボルト３と従動デッドボルト４とが錠ケース２内に引き下がるまでに回動鎌部材１９，２０を収納させる。
【００４０】
なお、本実施の形態においては、ハブ１０を環状に形成してその外周面にギア６５を形成し、当該ギア６５と係合してハブ１０を回動させることができる外部動力６６が設けられてなる。外部動力６６は、扉錠１の外部からの電気信号を受けてギア６５を回動させる電気的動力を備えるもであってもよい。外部動力６６は、外部動力カバー６７によって保護されてなる。
【符号の説明】
【００４１】
１  扉錠
２  錠ケース
３  駆動デッドボルト
４  従動デッドボルト
５  係合凹部
１０  ハブ
１１  ハブ腕
１２  連結プレート
１５  開口
１６  開口
１９  回動鎌部材
２０  回動鎌部材
６３  隙間
６４  隙間
【要約】
【課題】  デッドボルトを備える扉錠の安全性向上を図る手段を提供する。
【解決手段】  錠ケース内において上下に並列して設置された二つのデッドボルトと、前記デッドボルトの内側に鎌状のデッドボルトの出没動作に連動して上下方向に回動して突出可能に設けられてなる回動鎌部材が設けられ、
前記錠ケース内において、前記二つのデッドボルトの周面に取り付けられて互いに連結してなる連結プレートを備え、前記連結プレートの前端面が、前記駆動デッドボルト及び前記従動デッドボルトの突出状態において、前記錠ケースの前端壁の内側面に近接する位置となるように配設されてなることにより、安全性が高い扉錠を提供する。
【選択図】  図２【図１】
0006771792.tif 000002
【図２】
0006771792.tif 000003
【図３】
0006771792.tif 000004